(57)【要約】【課題】スピーカの音出力面を後方に向けて配置しても、ユーザに届く音の音質の改善を図ることができるスピーカ取付構造及びこれを用いた表示装置を提供する。【解決手段】音出力面１６Ｓを有するスピーカ１６と、表示パネル１３を収容するための前部筐体１０と、表示パネル１３が向く方向を前方とした場合において、前部筐体１０の後方に設けられ、音出力面１６Ｓが前部筐体１０に向かう方向とは反対の方向を向くようにスピーカ１６を収納する後部筐体１２と、後部筐体１２に、スピーカ１６の音出力面１６Ｓと対向して取り付けられ、音出力面１６Ｓから出力された音を、前部筐体１０よりも前方に向けて反射する音反射部材１４と、を備える。【選択図】図２
2015041814.tif 000002
【特許請求の範囲】
【請求項１】
表示パネルを備える装置に設けられるスピーカ取付構造であって、
音を出力する面である音出力面を有するスピーカと、
前記表示パネルを収容するための前部筐体と、
前記表示パネルが向く方向を前方とした場合において、前記前部筐体の後方に設けられ、前記音出力面が前記前部筐体に向かう方向とは反対の方向を向くように前記スピーカを収納する後部筐体と、
前記後部筐体に、前記スピーカの前記音出力面と対向して取り付けられ、前記音出力面から出力された前記音を、前記前部筐体よりも前方に向けて反射する音反射部材と、を備える
スピーカ取付構造。
【請求項２】
前記スピーカは、前記音出力面が前記装置が載置される面の方向を向き、且つ、前記地面に対して傾斜した方向に音を出力する状態で収容されており、
前記音反射部材は、予め定められた角度の範囲内で上下方向に回転可能である
請求項１に記載のスピーカ取付構造。
【請求項３】
さらに、
電力供給を受け付けて前記音反射部材を回転させる回転機構を備える
請求項２に記載のスピーカ取付構造。
【請求項４】
さらに、
前記音に関する複数のモードに応じて前記回転機構を制御する制御部と、
前記複数のモードの各々に対応して、前記音反射部材の回転度合いを予め記憶する記憶部と、を備え、
前記制御部は、前記複数のモードの各々に応じた前記回転度合いを、前記記憶部を参照して特定し特定した前記回転度合いの分だけ、前記音反射部材を回転させるように前記回転機構を制御する
請求項３に記載のスピーカ取付構造。
【請求項５】
さらに、
前記スピーカに出力される、前記音を表す音信号の周波数特性を変更するイコライザを備え、
前記記憶部には、さらに、前記複数のモードの各々に応じて、前記音信号の変更態様が予め記憶されており、
前記制御部は、さらに、前記記憶部を参照して、前記複数のモードの各々に対応する前記変更態様を判断し、前記イコライザによって、前記判断した変更態様で、前記音信号の周波数特性を変更させる
請求項４に記載のスピーカ取付構造。
【請求項６】
前記音反射部材は、前記スピーカの前記音出力面から出力された音を、前記前部筐体を基準として、前方であって且つ地面の方向に向けて反射させ、
さらに、
前記スピーカ取付構造を取り付けるためのスタンドを備え、
前記スタンドは、前記音反射部材によって反射された前記音を、前記前部筐体を基準として、前方であって、且つ地面に対して上方向に反射させるスタンド台を備える
請求項１〜５のいずれか１項に記載のスピーカ取付構造。
【請求項７】
画像を表示する表示パネルと、
請求項１〜６のいずれか１項に記載のスピーカ取付構造と、を備える
表示装置。
【発明の詳細な説明】
【技術分野】
【０００１】
本発明は、スピーカ取付構造及びこれを用いた表示装置に関する。
【背景技術】
【０００２】
従来、薄型テレビやタブレット型コンピュータなど、音出力機能を有する表示装置において、スピーカが、当該スピーカからの音出力面が表示装置の後方を向くように配置されているものが知られている（例えば、特許文献１参照）。
【先行技術文献】
【特許文献】
【０００３】
【特許文献１】特開２０１２−１５６９８７号公報
【発明の概要】
【発明が解決しようとする課題】
【０００４】
ところが、上記した表示装置では、スピーカからの音は、表示装置の前方に居るユーザには直接届かずに、表示装置の後方から回り込み、ユーザに届く。
【０００５】
一般に、周波数が低い低音は指向性が低く、周波数の高い高音は指向性が高い。そのため、スピーカからの音を表示装置の後方から回しこみユーザに届かせるようにすると、低周波数の低音はユーザに伝わりやすい。ところが、高周波数の高音は、指向性が高いため、表示装置の前方への回りこみが少なくなって、周波数特性が劣化して、音量が小さくなる。
【０００６】
このため、スピーカの音出力面を、後方に向けて配置した表示装置において、音質を改善することが望まれている。
【０００７】
本発明は、上述の課題を解決するためになされたものであり、スピーカの音出力面を後方に向けて配置しても、ユーザに届く音の音質の改善を図ることができるスピーカ取付構造及びこれを用いた表示装置を提供することを目的とする。
【課題を解決するための手段】
【０００８】
上記目的を達成するために、本発明の一態様に係るスピーカ取付構造は、表示パネルを備える装置に設けられるスピーカ取付構造であって、音を出力する面である音出力面を有するスピーカと、前記表示パネルを収容するための前部筐体と、前記表示パネルが向く方向を前方とした場合において、前記前部筐体の後方に設けられ、前記音出力面が前記前部筐体に向かう方向とは反対の方向を向くように前記スピーカを収納する後部筐体と、前記後部筐体に、前記スピーカの前記音出力面と対向して取り付けられ、前記音出力面から出力された前記音を、前記前部筐体よりも前方に向けて反射する音反射部材と、を備える。
【０００９】
この構成によると、スピーカから、前部筐体とは逆の方向に向けてスピーカから出力された音が、音反射部材によって、前部筐体よりも前方に向けて反射される。
【００１０】
これにより、スピーカから、ユーザの居る場所とは逆の方向に出力された音が、音反射部材によって反射され、ユーザの居る場所に伝わる。そのため、指向性が低い低音だけでなく、指向性が高い高音も、ユーザに伝わる。
【００１１】
その結果、後部筐体に音反射部材を取り付けるだけで、低音及び高音をユーザに伝えることができるので、スピーカの音出力面を後方に向けて配置した場合に、ユーザに届く音の音質の改善を、低コストで図ることができる。
【００１２】
また、前記スピーカは、前記音出力面が前記装置が載置される面の方向を向き、且つ、前記地面に対して傾斜した方向に音を出力する状態で収容されており、前記音反射部材は、予め定められた角度の範囲内で上下方向に回転可能である。
【００１３】
この構成によると、スピーカからの音出力面から出力された音が後方斜め下方向に向かって音反射部材に伝えられ、音反射部材に伝えられた音が、音反射部材の上下方向の回転度合いに応じた反射角で、スピーカよりも前方に居るユーザの元に伝えられる。
【００１４】
これにより、ユーザが、音反射部材の回転度合いを変えることで、スピーカから出力された音の上下方向の反射方向が変わるので、ユーザの元に届く音の高さが変わる。
【００１５】
その結果、ユーザの耳の位置の高さに応じて、ユーザに届く音の高さを任意に変更することができる。
【００１６】
さらに、電力供給を受け付けて前記音反射部材を回転させる回転機構を備える。
【００１７】
この構成によると、電力によって音反射部材を回転させるので、ユーザは、音反射部材を手動で回転させる必要がなくなり、利便性が向上する。例えば、リモコンから制御信号を送って音反射部材を電動で回転させるようにすれば、さらに便利である。
【００１８】
さらに、前記音に関する複数のモードに応じて前記回転機構を制御する制御部と、前記複数のモードの各々に対応して、前記音反射部材の回転度合いを予め記憶する記憶部と、を備え、前記制御部は、前記複数のモードの各々に応じた前記回転度合いを、前記記憶部を参照して特定し特定した前記回転度合いの分だけ、前記音反射部材を回転させるように前記回転機構を制御する。
【００１９】
この構成によると、音に関する複数のモードの各々に応じた回転度合いで、音反射部材を回転させるので、スピーカから出力された音が、モードに応じて最適な反射角で、ユーザの位置に到達する。
【００２０】
さらに、前記スピーカに出力される、前記音を表す音信号の周波数特性を変更するイコライザを備え、前記記憶部には、さらに、前記複数のモードの各々に応じて、前記音信号の変更態様が予め記憶されており、前記制御部は、さらに、前記記憶部を参照して、前記複数のモードの各々に対応する前記変更態様を判断し、前記イコライザによって、前記判断した変更態様で、前記音信号の周波数特性を変更させる。
【００２１】
この構成によると、複数のモードの各々に応じて、音信号の周波数特性が変更されるので、音反射部材の回転角度と、電気的な音信号の周波数変更とを組み合わせることができるので、モード別に、より効果的に、ユーザにとっての音の聞こえ方を変えることが可能となる。
【００２２】
さらに、前記音反射部材は、前記スピーカの前記音出力面から出力された音を、前記前部筐体を基準として、前方であって且つ地面の方向に向けて反射させ、さらに、前記スピーカ取付構造を取り付けるためのスタンドを備え、前記スタンドは、前記音反射部材によって反射された前記音を、前記前部筐体を基準として、前方であって、且つ地面に対して上方向に反射させるスタンド台を備える。
【００２３】
この構成によると、スタンド台によって、音反射部材によって前方斜め下方向に反射した音が、スタンド台において、前方斜め上方向に反射させるので、スピーカから出力された音がよりユーザの耳に届きやすくなる。
【００２４】
また、本発明の他の態様に係る表示装置は、画像を表示する表示パネルと、請求項１〜６のいずれか１項に記載のスピーカ取付構造と、を備える。
【００２５】
この構成によると、先述のスピーカ取付構造を備えるので、先述の効果を奏する表示装置を提供することができる。
【発明の効果】
【００２６】
本発明によると、スピーカの音出力面を後方に向けて配置しても、ユーザに届く音の音質の改善を図ることができる。
【図面の簡単な説明】
【００２７】
【図１】本発明の実施の形態１に係る表示装置の前面構成の一例を示した斜視図である。
【図２】図１の表示装置を右方向から見た側面図である。
【図３】図２のスピーカ取付構造において音反射部材をより下方へ向けて回転させた状態を表した側面図である。
【図４】本発明の第２の実施の形態に係るスピーカ取付構造の構成の一例を示した側面図である。
【図５】図４のスピーカ取付構造において音反射部材をより下方へ回転させた状態を表した側面図である。
【図６】図４のスピーカ取付構造において音反射部材をより上方へ回転させた状態を表した側面図である。
【図７】本発明の第３の実施の形態３に係るスピーカ取付構造の構成の一例を示した側面図である。
【図８】図７のスピーカ取付構造の機能構成の一例を表したブロック図である。
【図９】本発明の実施の形態４に係るスピーカ取付構造の機能構成の一例を示したブロック図である。
【図１０】本発明の実施の形態５に係るスピーカ取付構造の機能構成の一例を示したブロック図である。
【図１１】記憶部の内容の一例を表した図である。
【図１２】制御部がミュージックモードの際におけるスピーカ取付構造の側面図である。
【図１３】制御部が深夜モードの際におけるスピーカ取付構造の側面図である。
【発明を実施するための形態】
【００２８】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２９】
（実施の形態１）
＜表示装置の構成＞
図１は、本発明の実施の形態１に係る表示装置の前面構成の一例を示した斜視図である。図２は、図１の表示装置を右方向から見た側面図である。なお、図１及び図２において、右方向をＸ軸方向で表し、高さ方向をＹ軸方向で表し、奥行き方向をＺ軸方向で表している。
【００３０】
表示装置Ａは、本体部２００と、本体部２００を支持するスタンド１５とを備えている。スタンド１５は、スタンド台１５Ｂと、スタンド台１５Ｂと垂直になるようにスタンド台１５Ｂに設けられた支柱１５Ａとを備える。本体部２００はスタンド１５の支柱１５Ａに取り付けられる。スタンド台１５Ｂは、机など、地面と平行な面と平行に配置される。
【００３１】
本体部２００は、前部筐体としてのフロントキャビネット１０を備えている。このフロントキャビネット１０は、枠状の部材であり、表示パネル（例えば、液晶パネル）１３の外枠を取り囲む。表示パネル１３の背面には、リアフレーム１１が配置されている。そして、リアフレーム１１の背面には、後部筐体としてのリアカバー１２が設けられている。
【００３２】
リアカバー１２には、２つのスピーカ１６が左右対称に配置されている。また、リアカバー１２には、各スピーカ１６の音出力面１６Ｓと対向するように、音反射部材１４が取り付けられている。この音反射部材１４は、回転軸１４Ａを中心として、本体部２００の上下方向に回転する。本体部２００は、本発明の実施の形態１に係るスピーカ取付構造１を、スピーカ１６の数（この例では２つ）の分だけ備えている。
【００３３】
＜スピーカ取付構造の構成＞
以下、スピーカ取付構造１について、図２及び図３を用いて説明する。図３は、図２のスピーカ取付構造において音反射部材を下方へ向けて回転させた状態を表した側面図である。なお、図３も、図２と同様に、図１の表示装置Ａを右方向から見た状態を表している。
【００３４】
また、図３においても、右方向をＸ軸方向で表し、高さ方向をＹ軸方向で表し、奥行き方向をＺ軸方向で表している。
【００３５】
まず、スピーカ取付構造の構成を、図２及び図３を用いて説明する。
【００３６】
図２及び図３に示すように、リアカバー１２の内部には、スピーカ１６が、スピーカ１６の音出力面１６Ｓが、下向きに傾斜した状態となるように収容されている。詳しくは、スピーカ１６は、スピーカ１６の音出力面１６Ｓの垂線Ｖ１が、表示装置Ａが載置される面（地面）の方向に対して下向きに一定の角度（この例では３５度）をなすように、収容されている。
【００３７】
音反射部材１４は、一定角度（例えば５度）毎に、音反射部材１４の回転を止める、図示しないストッパーを備える。このストッパーによって、音反射部材１４は、一定角度毎に回転を刻む。
【００３８】
図２は、音反射部材１４が、鉛直方向に平行に維持した状態を表している。図２のような状態では、音反射部材１４への、音出力面１６Ｓからの音の入射角は３５度となる。図３は、音反射部材１４を図２の状態から下方に向けて５度回転させた状態を表している。図３のような状態では、音反射部材１４への、音出力面１６Ｓからの音の入射角は３０度となる。
【００３９】
＜作用＞
いま、図２に示すように、スピーカ１６の音出力面１６Ｓが地面の方向に対して３５度の角度をなし、且つ、音反射部材１４が上下方向と平行な状態にあるとする。この場合、スピーカ１６の音出力面１６Ｓから出力された音は、地面に対して３５度の入射角で音反射部材１４に向かう。これにより、音反射部材１４には、３５度の反射角で音を反射する。
【００４０】
音反射部材１４によって反射された音は、スタンド台１５Ｂの表面１５Ｓに対して入射角３５度で入射される。スタンド台１５Ｂの表面１５Ｓは、これを受けて反射角３５度で音を反射する。
【００４１】
また、図３に示すように、音反射部材１４が、図３に示すような上下方向よりも下方に向けて５度回転した場合には、スピーカ１６の音出力面１６Ｓからの音は、入射角３０度で音反射部材１４に入射される。これにより、音反射部材１４は、３０度の反射角で音を反射する。
【００４２】
音反射部材１４によって反射された音は、スタンド台１５Ｂの表面１５Ｓに対して、地面よりも下向きな入射角２５度で入射される。スタンド台１５Ｂの表面１５Ｓは、これを受けて、地面よりも上向きな反射角２５度で音を反射する。
【００４３】
＜効果＞
この構成によると、スピーカ１６の音出力面１６Ｓから音反射部材１４に入射された音は、音反射部材１４によって前方斜め下方向へ反射され、さらに、スタンド台１５Ｂの表面１５Ｓによって前方斜め上方向へ反射される。
【００４４】
これにより、指向性が低い高音だけでなく、指向性が高い高音も、音反射部材１４に反射してユーザに伝わるため、スピーカ１６の音出力面１６Ｓを、表示装置Ａの後部に向けて配置した場合に、ユーザに届く音の音質の改善を、低コストで図ることができる。
【００４５】
また、図３に示すように、音反射部材１４の回転度合いに応じた反射角で、音がスタンド台１５Ｂの表面で反射されるため、ユーザは、音反射部材１４の回転度合いを変更させることにより、当該ユーザの耳の位置に応じて、スタンド台１５Ｂの表面によって生じる反射光を耳に届きやすくすることができるため、利便である。
【００４６】
（実施の形態２）
図４は、本発明の第２の実施の形態に係るスピーカ取付構造の構成の一例を示した側面図である。図５は、図４のスピーカ取付構造において音反射部材を下方へ回転させた状態を表した側面図である。図６は、図４のスピーカ取付構造において音反射部材を上方へ回転させた状態を表した側面図である。なお、図４〜図６は、図１の表示装置Ａを右方向から見た状態を表している。
【００４７】
また、図４〜図６において、右方向をＸ軸方向で表し、高さ方向をＹ軸方向で表し、奥行き方向をＺ軸方向で表している。さらに、図４〜図６では、図２及び図３ですでに示した構成要素には、同一符号を付して説明を省略する。
【００４８】
＜スピーカ取付構造の構成＞
図４〜図６では、スピーカ取付構造１Ａは、スピーカ取付構造１とは異なり、スタンド台１５Ｂではなく壁１７と平行となるように、壁１７に取り付けられている。その他の構成については、スピーカ取付構造１と同様であるため、説明を省略する。
【００４９】
＜作用、効果＞
図４〜図６のように、スピーカ取付構造１Ａを壁１７に取り付けた場合には、スピーカ１６の音出力面１６Ｓから出力された音は、音反射部材１４に入射され、その後、入射角と同一の反射角で地面１８に向けて反射される。
【００５０】
一般に、表示装置Ａを壁１７に取り付けて使用する場合には、ユーザは表示装置Ａの表示パネル１３の斜め下方向から表示パネル１３上の画像を見ることが多い。この構成によると、スピーカ１６からの音が前方斜め下方向に向けて反射されるため、音がユーザの耳に届きやすくなる。
【００５１】
その結果、表示装置Ａを壁１７に取り付けて使用する場合においても、上述と同様の効果を奏することができる。
【００５２】
特に、図５に示すように、音反射部材１４を下方へ向けて回転させた場合よりも、図６に示すように、音反射部材１４を上方へ向けて回転させた場合の方が、音反射部材１４によって前方へ反射される音の反射角が大きくなる（この例の場合は４５度）。その結果、地面１８には、音反射部材１４を下方へ向けて回転させた場合よりも大きな入射角で音が伝わる。
【００５３】
したがって、音反射部材１４を上方へ向けて回転させることによって、表示装置Ａのより下方に音が届くため、店頭など表示装置Ａを高い場所に設置する場合には、音がユーザの耳により伝わりやすい。
【００５４】
また、音反射部材１４が配置されていない場合には、スピーカ１６からの音は壁１７に反射して、反射した音が入射音としてユーザの元に伝えられる。ところが、壁１７の材質や形状などによって、壁１７からの入射音の音質が変化することがある。
【００５５】
本実施の形態２によると、壁１７の前方に音反射部材１４を配置しているので、音が壁１７に当たらない。よって、壁１７の材質や形状などの状態にかかわらず、一定の音質の音をユーザに伝えることができる。
【００５６】
（実施の形態３）
＜スピーカ取付構造の構成＞
図７は、本発明の第３の実施の形態３に係るスピーカ取付構造の構成の一例を示した側面図である。図８は、図７のスピーカ取付構造の機能構成の一例を表したブロック図である。
【００５７】
スピーカ取付構造１Ｂは、音反射部材１４を回転させるための駆動源となるモータ１９と、モータ１９の回転を音反射部材１４の上下方向への回転に変換するギア機構２０と、を備える。なお、モータ１９とギア機構２０とで、本発明における回転機構を構成する。
【００５８】
スピーカ取付構造１Ｂは、図８に示すように、制御部１００と、音信号受付部１０１と、操作部１０２と、音信号出力部１０３と、スピーカ１６と、モータ１９と、を備える。
【００５９】
制御部１００は、スピーカ取付構造１Ｂを統括的に制御する構成要素である。制御部１００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などから構成され、ＣＰＵが所定の制御プログラムを実行することにより実現される。
【００６０】
音信号受付部１０１は、図示しない音信号線を通じて送信されてきた、音を表す音信号を、端子Ｔを通じて受け付ける構成要素である。操作部１０２は、回転スイッチ１０２Ａ、１０２Ｂを備える。ユーザは、回転スイッチ１０２Ａを操作することによって、音反射部材１４を上方向に回転させる一方で、回転スイッチ１０２Ｂを操作することによって、音反射部材１４を下方向に回転させる。
【００６１】
音信号出力部１０３は、スピーカ１６へ向けて、音信号を出力する構成要素である。スピーカ１６は、音信号を受け付けてその音信号で表される音を音出力面１６Ｓから出力する構成要素である。モータ１９は、音反射部材１４の駆動源となり、回転力をギア機構２０に伝える構成要素である。
【００６２】
＜作用、効果＞
この構成によると、ユーザが回転スイッチ１０２Ａ、１０２Ｂを操作すると、制御部１００は、モータ１９を駆動させて、音反射部材１４を上下方向に回転させる。すると、音反射部材１４における音の反射角が変化する。
【００６３】
例えば、図７のように、音反射部材１４が開いた状態から閉じた状態となるまでの間には、音反射部材１４による反射音が、Ｓ１からＳ３の順に変化する。
【００６４】
そのため、ユーザは、回転スイッチ１０２Ａ、１０２Ｂの操作により、音反射部材１４を、ユーザにとって耳障りのよい音が得られる位置にまで回転させることができ、利便である。
【００６５】
なお、回転スイッチ１０２Ａ、１０２Ｂの操作によってではなく、リモコンから制御信号を送って音反射部材１４を回転させるようにすれば、さらに利便にできる。
【００６６】
（実施の形態４）
＜スピーカ取付構造の構成＞
図９は、本発明の実施の形態４に係るスピーカ取付構造の機能構成の一例を示したブロック図である。なお、外観については、先述のスピーカ取付構造１Ｂと同様である。この構成によると、先述のスピーカ取付構造１Ｂの操作部１０２に代えて、音量検出部１０４を備えている。
【００６７】
音量検出部１０４は、音信号受付部１０１によって受け付けられた音信号の振幅を検出することにより、音信号で表される音の音量を検出する。制御部１００は、音量検出部１０４の検出結果に基づいて、モータ１９を制御する。
【００６８】
＜作用、効果＞
この構成によると、音量検出部１０４によって検出される音量が大きくなるほど、制御部１００は、モータ１９を駆動させて、音反射部材１４を上方に回転させる。そうすると、リアカバー１２と音反射部材１４との間で形成される開口２１（図１２及び図１３参照）が広くなるので、音の広がり感が向上する。
【００６９】
（実施の形態５）
図１０は、本発明の実施の形態５に係るスピーカ取付構造の機能構成の一例を示したブロック図である。図１１は、記憶部１０５の内容の一例を表した図である。なお、このスピーカ取付構造１Ｄの外観については、先述のスピーカ取付構造１Ｂと同様である。
【００７０】
スピーカ取付構造１Ｄでは、先述したスピーカ取付構造１Ｂにおいて、回転スイッチ１０２Ａ、１０２Ｂに代えてモード切替スイッチ１０２Ｃを備え、且つ、記憶部１０５及びイコライザ１０６を付加している。
【００７１】
制御部１００は、音に関する複数のモードを有している。例えば、制御部１００は、“ミュージックモード”、“シネマモード”、“ニュース／番組情報モード”、及び、“深夜モード”を有している。
【００７２】
モード切替スイッチ１０２Ｃは、ユーザによって操作されることによって、制御部１００のモードを切り替える。
【００７３】
記憶部１０５は、例えば、ＲＯＭやＲＡＭなどで構成され、先述した複数のモードの各々に対応した処理を表す処理テーブル１５０Ａを有している。なお、記憶部１０５をＲＡＭで構成した場合には、ユーザの所望に応じて、モードに対応する処理の内容を書き換え可能にすることができる。
【００７４】
処理テーブル１５０Ａには、図１１に示すように、“音に関するモード”１５０の各々に対応して、“イコライザ１０６による音質の変更態様”１５１と、“音反射部材１４の回転度合い”１５２とが、予め記憶されている。
【００７５】
イコライザ１０６は、音信号受付部１０１によって受け付けられた音信号の周波数特性を変更する構成要素である。
【００７６】
＜作用＞
図１２は、制御部１００がミュージックモードの際におけるスピーカ取付構造１Ｄの側面図である。図１３は、制御部１００が深夜モードの際におけるスピーカ取付構造１Ｄの側面図である。
【００７７】
制御部１００は、モード切替スイッチ１０２Ｃの操作によって定められたモードを実行する。その際、制御部１００は、処理テーブル１５０Ａを参照して、そのモードに対応する処理、つまり、“イコライザ１０６による音質の変更態様”及び“音反射部材１４の回転度合い”を取得し、これらの情報に応じた処理を行う。
【００７８】
「ミュージックモード」
制御部１００は、ミュージックモードの際には、モータ１９によって音反射部材１４を全開となるまで回転させる。すると、音反射部材１４の下端１４Ｂ付近の開口２１が大きくなる。
【００７９】
また、制御部１００は、イコライザ１０６によって音信号の高周波数帯域及び低周波数帯域を強調させる。
【００８０】
これにより、低音及び高音が強調された音がたくさんユーザの元に伝えられるので、ユーザにとって音の広がり感が大きくなり、心地よく音楽を聴くことができる。
【００８１】
「深夜モード」
制御部１００は、深夜モードの際には、モータ１９によって音反射部材１４を全閉となるまで回転させる。すると、音反射部材１４の下端１４Ｂ付近の開口２１が小さくなる。
【００８２】
また、制御部１００は、イコライザ１０６によって音信号の低周波数帯域をカットさせるとともに、高周波数帯域を強調させる。
【００８３】
これにより、指向性が低く近所に響くように伝えられる低音がカットされ、指向性が高く近所に響みにくい高音が強調されてユーザの元に伝えられる。その結果、深夜放送を視聴するのに最適である。
【００８４】
「シネマモード」
制御部１００は、シネマモードの際には、モータ１９によって音反射部材１４を全開となるまで回転させる。すると、音反射部材１４の下端１４Ｂ付近の開口２１が大きくなる。
【００８５】
また、制御部１００は、イコライザ１０６によって音信号からサラウンド信号を生成させる。
【００８６】
これにより、ユーザの元には、サラウンド音が伝わるので、映画を心地よく視聴することができる。
【００８７】
「ニュース／情報番組モード」
制御部１００は、ニュース／情報番組モードの際には、モータ１９によって音反射部材１４の回転角が、デフォルトの回転角となるように回転させる。なお、デフォルトの回転角としては、例えば、図２に示すように、音反射部材１４が上下方向と平行となるような回転角、つまり、上下方向に対して０度が挙げられる。また、制御部１００は、イコライザによって、中周波数帯域を強調させる。
【００８８】
一般に、人の声は中周波数帯域にあるので、小さな音量でも人の声が聞き取りやすくなる。その結果、人の声が多いニュースや情報番組を視聴するのに最適である。
【００８９】
（その他の実施例等）
上記した実施の形態によると、“ニュース／情報番組モード”では、一律的に中周波数帯域を強調させてはいたが、図９に示す音量検出部１０４を新たに設けて、音信号受付部１０１が受け付けた音信号の振幅が大きくなるほど、音反射部材１４を開口２１が広くなる方向に回転させてもよい。
【００９０】
また、上記した実施の形態によると、スピーカ取付構造１、１Ａ、１Ｂ、１Ｃ、１Ｄは、表示装置Ａに設けられているが、この例には限られず、ユーザから見て背面方向に音出力面１６Ｓが向くようにスピーカ１６を配置した装置全般に適用される。
【００９１】
以上、本発明のスピーカ取付構造及び表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００９２】
本発明は、例えば薄型テレビ等の表示装置等に適用することができる。
【符号の説明】
【００９３】
Ａ  表示装置
１、１Ａ、１Ｂ、１Ｃ、１Ｄ  スピーカ取付構造
１０  フロントキャビネット
１１  リアフレーム
１２  リアカバー
１３  表示パネル
１４  音反射部材
１５  スタンド
１５Ｂ  スタンド台
１５０Ａ  処理テーブル
１６  スピーカ
１６Ｓ  音出力面
１９  モータ
２０  ギア機構
１００  制御部
１０５  記憶部
１０６  イコライザ
【図１】
2015041814.tif 000003
【図２】
2015041814.tif 000004
【図３】
2015041814.tif 000005
【図４】
2015041814.tif 000006
【図５】
2015041814.tif 000007
【図６】
2015041814.tif 000008
【図７】
2015041814.tif 000009
【図８】
2015041814.tif 000010
【図９】
2015041814.tif 000011
【図１０】
2015041814.tif 000012
【図１１】
2015041814.tif 000013
【図１２】
2015041814.tif 000014
【図１３】
2015041814.tif 000015